(57)【特許請求の範囲】
【請求項１】
頂面、底面、及び一対の対向側壁を有するエンクロージャと、
前記頂面によって回動可能に支持され、指の基節骨によって押下されて下方に変位され、押下されていない状態では前記頂面から離隔している２つの上部レバー／細長いボタンと、
前記エンクロージャ内に位置し、前記２つの上部レバー／細長いボタンにそれぞれ接続され、前記２つの上部レバー／細長いボタンの変位操作の完了後に前記２つの上部レバー／細長いボタンを定位置または停止位置に再び変位させるようにそれぞれ構成された第１の復元要素及び第２の復元要素と、
前記エンクロージャ内に位置し、前記２つの上部レバー／細長いボタンが下方に変位されることによって押され、それぞれ作動される第１のスイッチング要素及び第２のスイッチング要素と、を含み、
前記２つの上部レバー／細長いボタンは、隆起した前方部と、低い後方部と、前記前方部と後方部の間において輪郭曲線が連続した形状の隆起面とを有し、
前記隆起面は、前記頂面に取り付けられたスタンドオフによって、前記頂面から分離された位置に保持され、
前記隆起面は、ユーザが前記上部レバー／細長いボタンを操作する際にユーザの指を受け止め、前記指を曲げずに指の基節骨で押圧されるように設計されている
ことを特徴とする指作動式のマウス装置／スイッチング装置。
【請求項２】
前記第１のスイッチング要素及び第２のスイッチング要素は、前記２つの上部レバー／細長いボタンが定位置または停止位置に移動される際に、それぞれ作動停止される、請求項１に記載の装置。
【請求項３】
前記第１のスイッチング要素及び第２のスイッチング要素は、それぞれ作動して電気回路を閉鎖する、請求項１に記載の装置。
【請求項４】
前記第１のスイッチング要素及び第２のスイッチング要素は、それぞれ作動停止されて電気回路を開放する、請求項１に記載の装置。
【請求項５】
前記第１のスイッチング要素及び第２のスイッチング要素は、類似または同一のタイプである、請求項１に記載の装置。
【請求項６】
前記第１のスイッチング要素及び第２のスイッチング要素は、互いに異なるタイプである、請求項１に記載の装置。
【請求項７】
前記第１の復元要素及び第２の復元要素は、バネである、請求項１に記載の装置。
【請求項８】
前記第１の復元要素及び第２の復元要素は、繊維材料である、請求項１に記載の装置。
【請求項９】
前記第１のスイッチング要素は、前記エンクロージャの底面に装着された第１のブロックに囲まれ、前記第２のスイッチング要素は、前記エンクロージャの底面に装着された第２のブロックに囲まれている、請求項１に記載の装置。
【請求項１０】
前記２つの上部レバー／細長いボタンの間に取り付けられたスクロールホイールをさらに含む、請求項１に記載の装置。
【請求項１１】
前記２つの上部レバー／細長いボタンは、第１のアーム及び第２のアームを含み、前記第１のアーム及び第２のアームは、互いに異なる操作を行うように変位される、請求項１に記載の装置。
【発明の詳細な説明】
【技術分野】
【０００１】
［関連出願の相互参照］
本出願は、米国正規特許出願第１５／２８０，０２９号の優先権を主張し、引用によってその全内容が本明細書に組み込まれる。
【０００２】
本発明の実施形態は、一般的にポインティング装置に関する。特に、本発明の実施形態は、指作動式のマウス／スイッチング装置に関する。さらに詳しくは、本発明の実施形態は、バックプレスに基づく基節骨を用いて操作されるマウス／スイッチング装置に関する。
【背景技術】
【０００３】
コンピューティングにおいて、マウスは、表面における２次元運動を検出するポインティング装置である。このような運動は、通常、コンピュータのディスプレイで見ることができるポインタの動作に変換され、グラフィカルユーザインターフェースの微細な制御を可能にする。物理的には、マウスは、表面において手に握られるエンクロージャで構成され、マウスを握った手の指で押される一以上のボタンを備える。マウスは、一般的に、タッチ面とスクロールホイールのような他の要素を特徴として更なる制御及び寸法の入力を提供する。マウスボタンは、通常、グラフィカルユーザインターフェースの要素と相互作用し、独特のクリック音を出すために押されるマイクロスイッチである。通常の使用状況において、ポインタは、表面上でマウスを移動させることでスクリーンに配置された後、ソフトウェアの具現によって予想されるコンピュータの動作や結果を呼び出すために、マウスのボタンは、素早い動きで下方に押される。または、予想されるソフトウェアベースの応答を呼び出すために、ボタンは素早く連続して２回（さらには三回）下方に押される。伝統的なマウスの他の実施形態では、予想される時間関連の応答が得られるまでボタンが押され、下方で維持される。３ボタンスクロールマウスは、最も一般的に利用可能なデザインになっている。
【０００４】
従来のマウスは、ユーザが指先でマウスをクリックするが、その指が曲がりやすいので、ユーザに手根管効果や症候群が生じる。従来のマウスのデザインは、指を曲げる必要があるので、手のひらに痛みを誘発する。また、従来のマウスは、手のひらの手首側に近い、丸みを帯びた／隆起した部分を含んでいる。従来のマウスのデザインにおける丸みを帯びた／隆起した部分は、筋肉を抑制する。
【０００５】
従って、手根管効果や症候群によって指に誘発される痛みを除去するマウスが必要である。また、筋肉の変形を防止するために丸みを帯びた／隆起した部分を除去したマウスが必要である。また、指先ではなく、指の領域を用いてバックプレス操作で操作される指作動式のマウスが必要である。また、自然なクリック操作を容易にする指作動式のマウスが必要である。
【０００６】
前述した欠点、短所、及び課題は、本明細書で対処され、これは以下の明細書を読み、研究することによって理解されるであろう。
【発明の概要】
【発明が解決しようとする課題】
【０００７】
本発明の実施形態の主な目的は、指の基節骨によって操作される指作動式のコンピュータマウス／スイッチング装置を提供することである。
【０００８】
本発明の実施形態の他の目的は、指の手根管効果や症候群及び曲げを防止できるように、人間工学的に設計された指作動式のスイッチング装置／マウスを提供することである。
【０００９】
本発明の実施形態の別の目的は、指先ではなく、指の領域を用いてバックプレス操作で操作される指作動式のコンピュータマウス／スイッチング装置を提供することである。
【００１０】
本発明の実施形態の別の目的は、上部レバー／細長いボタン、スイッチング要素、及び復元要素を備えた指作動式のコンピュータマウス／スイッチング装置を提供することである。
【００１１】
本発明の実施形態の別の目的は、隆起面である上部レバー／細長いボタンを備えることで、指が楽な姿勢でその上に受け止められる指作動式のコンピュータマウス／スイッチング装置を提供することである。
【００１２】
本発明の実施形態のこのような及び他の目的及び利点は、添付の図面と併せて行われる以下の詳細な説明から容易に理解されるであろう。
【課題を解決するための手段】
【００１３】
本発明の様々な実施形態は、指の基節骨によって作動されるスイッチング装置／マウスを開示している。スイッチング装置／マウスは、手根管効果と指の曲げを防止できるように、人間工学的に設計される。本発明の実施形態は、隆起面を有する上部レバー／細長いボタンを含むことで、ユーザがその隆起面において楽な姿勢で指を置くことのできるマウス／スイッチング装置を開示する。上部レバー／細長いボタンは、隆起面上の任意の位置で押されたときに下方に向かう細長状の隆起部を含む。また、マウスは、指を曲げずに指の基節骨によって再び押される。
【００１４】
本発明の一実施形態によると、指作動式のマウス装置／スイッチング装置が提供される。この装置は、頂面（頂壁）、底面（底壁）、及び一対の対向側壁を有するエンクロージャを含む。上部レバー／細長いボタンは、頂壁で回動可能に支持される。上部レバー／細長いボタンは、指の基節骨によって頂壁から下方に変位される。上部レバー／細長いボタンは、支持アームを介して頂壁に取り付けられる。一対の復元要素は、エンクロージャ内に位置する。一対の復元要素は、第１の復元要素及び第２の復元要素を含む。第１の復元要素及び第２の復元要素は、上部レバー／細長いボタンに接続される。第１の復元要素及び第２の復元要素は、上部レバー／細長いボタンの変位操作の完了後に上部レバー／細長いボタンを定位置（ｈｏｍｅ  ｐｏｓｉｔｉｏｎ）または停止位置（ｒｅｓｔ  ｐｏｓｉｔｉｏｎ）に再び変位させるように、それぞれ構成される。一対のスイッチング要素は、エンクロージャ内に位置する。一対のスイッチング要素は、第１のスイッチング要素及び第２のスイッチング要素を含む。第１のスイッチング要素及び第２のスイッチング要素は、上部レバー／細長いボタンに接続される。上部レバー／細長いボタンが下方に変位されるとき、第１のスイッチング要素及び第２のスイッチング要素は、それぞれ作動される。上部レバー／細長いボタンは、使用状態の間にユーザの指を受け止めるための隆起面を有する。上部レバー／細長いボタンは、指の基節骨によって作動するように構成されている。
【００１５】
本発明の一実施形態によると、上部レバー／細長いボタンが定位置または停止位置に移動されるとき、第１のスイッチング要素及び第２のスイッチング要素は、それぞれ作動停止される。
【００１６】
本発明の一実施形態によると、第１のスイッチング要素及び第２のスイッチング要素は、それぞれ作動して電気回路を閉鎖する。
【００１７】
本発明の一実施形態によると、第１のスイッチング要素及び第２のスイッチング要素は、それぞれ作動停止されて電気回路を開放する。
【００１８】
本発明の一実施形態によると、第１のスイッチング要素及び第２のスイッチング要素は、類似または同一のタイプである。
【００１９】
本発明の一実施形態によると、第１のスイッチング要素及び第２のスイッチング要素は、互いに異なるタイプである。
【００２０】
本発明の一実施形態によると、第１の回転要素及び第２の回転要素は、バネである。
【００２１】
本発明の一実施形態によると、第１の回転要素及び第２の回転要素は、繊維材料である。
【００２２】
本発明の一実施形態によると、装置は、バネによって支持されているプラットフォームをさらに含む。上部レバー／細長いボタンが下方に変位されるとき、プラットフォームは、第１の方向に傾いて、第１のスイッチング要素及び第２のスイッチング要素を作動させる。本発明の一実施形態によると、プラットフォームは、第１のロッドを介して第１のスイッチング要素に接続される。プラットフォームは、第２のロッドを介して第２のスイッチング要素に接続される。
【００２３】
本発明の一実施形態によると、第１のスイッチング要素は、エンクロージャの底壁に装着された第１のブロックに囲まれ、第２のスイッチング要素は、エンクロージャの底壁に装着された第２のブロックに囲まれている。
【００２４】
本発明の一実施形態によると、装置は、上部レバー／隆起ボタン／細長いボタンの間に取り付けられたスクロールホイールをさらに含む。
【００２５】
本発明の一実施形態によると、上部レバー／細長いボタンは、距離の分だけ離隔された二つのアームを有する。二つのアームは、第１のアーム及び第２のアームを含む。第１のアーム及び第２のアームは、互いに異なる操作を行うように変位される。
【００２６】
本発明の一実施形態によると、頂壁には、操作の間に照明または光を提供するための照明ユニットが装着される。
【００２７】
本発明の一実施形態によると、指の基節骨によって作動されるスイッチング装置／マウスは、頂壁、底壁、及び側壁を有するエンクロージャを含む。スイッチング装置／マウスは、頂壁によって回動可能に支持された上部レバー／細長いボタンを含む。上部レバー／細長いボタンは、指の基節骨によって頂壁から下方に変位される。スイッチング装置／マウスは、上部レバー／細長いボタンの動きが完了する際に、上部レバー／細長いボタンを停止位置または定位置に再び戻すようにエンクロージャ内に位置し、上部レバー／細長いボタンに結合される一対の復元要素を含む。また、スイッチング装置／マウスは、一対のスイッチング要素を含み、スイッチング要素の操作は、上部レバー／細長いボタンの変位によって行われ、電気的なスイッチング操作を行う。マウスは、ユーザの手が停止位置の際に頂壁の上に位置し、ユーザの指が上部レバー／細長いボタンを操作する際に上部レバー／細長いボタンの隆起面に位置するように、把持グリップで保持される。上部レバー／細長いボタンは、指を曲げずに指の基節骨によって再び押すことで作動される。
【００２８】
本発明の一実施形態によると、スイッチング装置／マウスは、回動式要素によって支持されているプラットフォームをさらに含む。上部レバー／細長いボタンが下方に変位されるとき、回動式要素は、第１のスイッチング要素を作動させるために第１の方向に傾けられる。復元要素は、バネ及び材料繊維のいずれか一つである。
【００２９】
本発明の一実施形態によると、指の基節骨によって作動される人間工学的に設計されたコンピュータマウス装置は、頂壁、底壁、及び側壁を有するエンクロージャを含む。コンピュータマウスは、頂壁によって回動可能に支持された上部レバー／細長いボタンを含む。上部レバー／細長いボタンは、エッジで輪郭曲線によって連続する隆起面を含み、指が楽な姿勢でその隆起面に置かれるようになる。上部レベルは、指の基節骨で湾曲されたエッジを押すことによって変位される。コンピュータマウスは、頂壁の上に位置するスクロールホイールを含む。マウスは、ユーザの手が使用されていない状態の間、頂壁上に置かれて受け止められるように、把持グリップで保持される。装置は、指を曲げずに指の基節骨によって上部レバー／細長いボタンを再び押すことで作動される。
【００３０】
本発明の一実施形態によると、指の基節骨によって作動されるスイッチング装置／マウスは、頂壁及び底壁を有するエンクロージャを含む。スイッチング装置／マウスは、互いに隣接するように配置された複数の上部レバー／細長いボタンを含む。上部レバー／細長いボタンは、頂壁によって回動可能に支持され、使用されていない状態の間には、頂壁から離隔されている。上部レバー／細長いボタンは、指の基節骨によって下方に変位される。スイッチング装置／マウスは、上部レバー／細長いボタンの変位操作の完了後に上部レバー／細長いボタンを定位置または停止位置に再び戻すようにエンクロージャ内に位置し、上部レバー／細長いボタンに結合される複数の復元要素を含む。復元要素は、繊維材料のバネのいずれか一つを含む。スイッチング装置／マウスは、複数のスイッチング要素を含む。上部レバー／細長いボタンは、変位されて電気スイッチング操作を行うためにスイッチング要素を作動させる。マウスは、ユーザの手が、使用されていない状態の間に頂壁の上に位置するように、把持状態で保持される。ユーザの指は、上部レバー／細長いボタンの隆起面に位置し、指を曲げずに指の基節骨によって再び押す操作で上部レバー／細長いボタンを操作する。
【００３１】
特定の実施形態に対する前述した説明は、現在の知識を適用することにより、他の人が一般的な概念から逸脱することなく、このような特定の実施形態を様々な適用に向けて容易に変形及び／または調整することができる、本発明の実施形態の一般的な本質を完全に示すものであり、そのような調整及び変形は、開示された実施形態の同等物の意味と範囲内で理解されるように意図されるべきである。本明細書において使用された表現または用語は、説明のためのものであり、制限を目的とするものでないことを理解すべきである。従って、本発明の実施形態は、好ましい実施形態の観点から説明されているが、当業者は、本発明の実施形態が添付の特許請求の範囲の思想及び範囲内で変形して実施することもできることを認識するであろう。
【図面の簡単な説明】
【００３２】
他の目的、特徴、及び利点は、好ましい実施形態及び添付図面に対する以下の説明から、当業者であれば理解できるであろう。
【００３３】
【図１】本発明の一実施形態に係るマウス装置の上側斜視図である。
【図２】本発明の一実施形態に係るマウス装置の右側面図である。
【図３】本発明の一実施形態に係るマウス装置の平面図である。
【図４】本発明の一実施形態に係るマウス装置の底面図である。
【図５】本発明の一実施形態に係るマウス装置の背面図である。
【図６】本発明の一実施形態に係るマウス装置の正面図である。
【図７】本発明の一実施形態に係るコンピュータマウス装置／スイッチング装置の電気回路を閉鎖するための作動状態における、スイッチング要素の側面図である。
【図８】本発明の一実施形態に係るコンピュータマウス装置／スイッチング装置の電気回路を開放するための非作動状態における、スイッチング要素の側面図である。
【００３４】
本発明の実施形態の具体的な特徴が、一部の図面に示されており、他の図面には示されていない。これは、本発明の実施形態に基づいて、各特徴が、他の特徴の一部または全部と組み合わせることができる場合のみ、便宜上行われる。
【発明を実施するための形態】
【００３５】
以下の詳細な説明では、本明細書の一部を成し、実施することができる特定の実施形態が例示的に示された添付図面を参照する。これらの実施形態は、当業者が実施形態を実施することができるように十分詳細に説明されており、実施形態の範囲を逸脱することなく他の変更が行われ得ることを理解しなければならない。従って、以下の詳細な説明は、限定的な意味で受け入れるべきではない。
【００３６】
本発明の様々な実施形態は、指の基節骨によって作動されるスイッチング装置／マウスを開示している。スイッチング装置／マウスは、手根管効果と指の曲げを防止できるように、人間工学的に設計される。本発明の実施形態は、隆起面を有する上部レバー／細長いボタンを含むことで、ユーザがその隆起面において楽な姿勢で指を置くことのできるマウス／スイッチング装置を開示する。上部レバー／細長いボタンは、上部レバー／細長いボタン上の任意の位置で押されたときに下方に向かう細長状の隆起部を含む。また、マウスは、指を曲げずに指の基節骨によって再び押される。
【００３７】
本発明の一実施形態によると、指作動式のマウス装置／スイッチング装置が提供される。この装置は、頂壁、底壁、及び一対の対向側壁を有するエンクロージャを含む。上部レバー／細長いボタンは、頂壁で回動可能に支持される。上部レバー／細長いボタンは、指の基節骨によって頂壁から下方に変位される。上部レバー／細長いボタンは、支持アームを介して頂壁に取り付けられる。一対の復元要素は、エンクロージャ内に位置する。一対の復元要素は、第１の復元要素及び第２の復元要素を含む。第１の復元要素及び第２の復元要素は、上部レバー／細長いボタンに接続される。第１の復元要素及び第２の復元要素は、上部レバー／細長いボタンの変位操作の完了後に上部レバーを定位置（ｈｏｍｅ  ｐｏｓｉｔｉｏｎ）または停止位置（ｒｅｓｔ  ｐｏｓｉｔｉｏｎ）に再び変位させるように、それぞれ構成される。一対のスイッチング要素は、エンクロージャ内に位置する。一対のスイッチング要素は、第１のスイッチング要素及び第２のスイッチング要素を含む。第１のスイッチング要素及び第２のスイッチング要素は、上部レバー／細長いボタンに接続される。上部レバー／細長いボタンが下方に変位されるとき、第１のスイッチング要素及び第２のスイッチング要素は、それぞれ作動される。上部レバー／細長いボタンは、使用状態の間にユーザの指を受け止めるための上面を有する。上部レバー／細長いボタンは、指の基節骨によって作動するように構成されている。
【００３８】
本発明の一実施形態によると、上部レバー／細長いボタンが定位置または停止位置に移動されるとき、第１のスイッチング要素及び第２のスイッチング要素は、それぞれ作動停止される。
【００３９】
本発明の一実施形態によると、第１のスイッチング要素及び第２のスイッチング要素は、それぞれ作動して電気回路を閉鎖する。
【００４０】
本発明の一実施形態によると、第１のスイッチング要素及び第２のスイッチング要素は、それぞれ作動停止されて電気回路を開放する。
【００４１】
本発明の一実施形態によると、第１のスイッチング要素及び第２のスイッチング要素は、類似または同一のタイプである。
【００４２】
本発明の一実施形態によると、第１のスイッチング要素及び第２のスイッチング要素は、互いに異なるタイプである。
【００４３】
本発明の一実施形態によると、第１の回転要素及び第２の回転要素は、バネである。
【００４４】
本発明の一実施形態によると、第１の回転要素及び第２の回転要素は、繊維材料である。
【００４５】
本発明の一実施形態によると、装置は、バネによって支持されているプラットフォームをさらに含む。上部レバー／細長いボタンが下方に変位されるとき、プラットフォームは、第１の方向に傾いて、第１のスイッチング要素及び第２のスイッチング要素を作動させる。本発明の一実施形態によると、プラットフォームは、第１のロッドを介して第１のスイッチング要素に接続される。プラットフォームは、第２のロッドを介して第２のスイッチング要素に接続される。
【００４６】
本発明の一実施形態によると、第１のスイッチング要素は、エンクロージャの壁内に装着された第１のブロックに囲まれ、第２のスイッチング要素は、エンクロージャの壁内に装着された第２のブロックに囲まれている。
【００４７】
本発明の一実施形態によると、装置は、上部レバー／細長いボタンの間に取り付けられたスクロールホイールをさらに含む。
【００４８】
本発明の一実施形態によると、上部レバー／細長いボタンは、距離の分だけ離隔された二つのアームである。二つのアームは、第１のアーム及び第２のアームを含む。第１のアーム及び第２のアームは、互いに異なる操作を行うように変位される。
【００４９】
本発明の一実施形態によると、頂壁には、操作の間に照明または光を提供するための照明ユニットが装着される。
【００５０】
本発明の一実施形態によると、指の基節骨によって作動されるスイッチング装置／マウスは、頂壁、底壁、及び側壁を有するエンクロージャを含む。スイッチング装置／マウスは、頂壁によって回動可能に支持された上部レバー・細長いボタンを含む。上部レバー／細長いボタンは、指の基節骨によって頂壁から下方に変位される。スイッチング装置／マウスは、上部レバー／細長いボタンの動きが完了する際に、上部レバー／細長いボタンを停止位置または定位置に再び戻すようにエンクロージャ内に位置し、上部レバー／細長いボタンに結合される一対の復元要素を含む。また、スイッチング装置／マウスは、一対のスイッチング要素を含み、スイッチング要素の操作は、上部レバー／細長いボタンの変位によって行われ、電気的なスイッチング操作を行う。マウスは、ユーザの手が停止位置の際に頂壁の上に位置し、ユーザの指が上部レバー／細長いボタンを操作する際に上部レバー／細長いボタンの隆起面に位置するように、把持グリップで保持される。上部レバー／細長いボタンは、指を曲げずに指の基節骨によって再び押すことで作動される。
【００５１】
本発明の一実施形態によると、スイッチング装置／マウスは、回動式要素によって支持されているプラットフォームをさらに含む。上部レバー／細長いボタンが下方に変位されるとき、回動式要素は、第１のスイッチング要素を作動させるために第１の方向に傾けられる。復元要素は、バネ及び材料繊維のいずれか一つである。
【００５２】
本発明の一実施形態によると、指の基節骨によって作動される人間工学的に設計されたコンピュータマウス装置は、頂壁、底壁、及び側壁を有するエンクロージャを含む。コンピュータマウスは、頂壁によって回動可能に支持された上部レバー／細長いボタンを含む。上部レバー／細長いボタンは、エッジで輪郭曲線によって連続する隆起面を含み、指が楽な姿勢でその隆起面に置かれるようになる。上部レベルは、指の基節骨で湾曲されたエッジを押すことによって変位される。コンピュータマウスは、頂壁に位置するスクロールホイールを含む。マウスは、ユーザの手が使用されていない状態の間、頂壁上に置かれて受け止められるように、把持グリップで保持される。装置は、指を曲げずに指の基節骨によって上部レバー／細長いボタンを再び押すことで作動される。
【００５３】
本発明の一実施形態によると、指の基節骨によって作動されるスイッチング装置／マウスは、頂壁及び底壁を有するエンクロージャを含む。スイッチング装置／マウスは、互いに隣接するように配置された複数の上部レバー／細長いボタンを含む。上部レバー／細長いボタンは、頂壁によって回動可能に支持され、使用されていない状態の間には、頂壁から離隔されている。上部レバー／細長いボタンは、指の基節骨によって下方に変位される。スイッチング装置／マウスは、上部レバー／細長いボタンの変位操作の完了後に上部レバー／細長いボタンを定位置または停止位置に再び戻すようにエンクロージャ内に位置し、上部レバー／細長いボタンに結合される複数の復元要素を含む。復元要素は、繊維材料のバネのいずれか一つを含む。スイッチング装置／マウスは、複数のスイッチング要素を含む。上部レバー／細長いボタンは、変位されて電気スイッチング操作を行うためにスイッチング要素を作動させる。マウスは、ユーザの手が、使用されていない状態の間に頂壁の上に位置するように、把持状態で保持される。ユーザの指は、上部レバー／細長いボタンの隆起面に位置し、指を曲げずに指の基節骨によって再び押す操作で上部レバー／細長いボタンを操作する。
【００５４】
図１は、本発明の一実施形態に係るマウス装置の上側斜視図である。図２は、本発明の一実施形態に係るマウス装置の左側面図である。図３は、本発明の一実施形態に係るマウス装置の平面図である。図４は、本発明の一実施形態に係るマウス装置の底面図である。図５は、本発明の一実施形態に係るマウス装置の前面図である。図６は、本発明の一実施形態に係るマウス装置の背面図である。図７は、本発明の一実施形態に係るコンピュータマウス装置／スイッチング装置の電気回路を閉鎖するための作動状態における、スイッチング要素の側面図である。図８は、本発明の一実施形態に係るコンピュータマウス装置／スイッチング装置の電気回路を開放するための非作動状態における、スイッチング要素の側面図である。図１ないし図８を参照すると、人間工学的に設計されたコンピュータマウスは、例えば、成形プラスチック製であってもよく、頂面（頂壁）９２及び底面（底壁）９４を含むエンクロージャ９０を含む。底壁９４は、コンピュータの視覚的な画面操作のためのコンピュータマウスの使用において周知であるように、支持表面に置かれ、その上で動くことを意図している。エンクロージャ９０は、対向側壁９６を含み、壁９２、９４、及び９６は、ユーザの手が楽な姿勢で頂壁９２の上に置かれるように、把持グリップで保持される閉鎖されたエンクロージャ９０を形成する。コンピュータマウスは、頂壁９２に位置するスクロールホイール９８を含む。
【００５５】
図１ないし図８を参照すると、上部レバー／細長いボタン８０は、対向するスタンドオフ（ｓｔａｎｄｏｆｆ）８４によって保持され、スタンドオフ８４は、図示のように、頂壁９２に取り付けられている。上部レバー／細長いボタン８０は、頂壁９２の上に位置し、それから分離されており、指の基節骨を用いてバックプレスによって変位される。従って、前記の設計は、指を曲げることなく、ユーザの手のひらが楽な姿勢を取れるようにする。コンピュータマウスは、隆起した前方部及び低い後方部を有しながら人間工学的に設計され、ユーザは、手のひらがスイッチング装置の頂壁９２にまっすぐ置かれるように手を位置することができる。従って、他のマウスの設計に比べて、手のひらの空き空間は、隆起した部分で満たされていない。また、スイッチング装置は、スイッチング機能のために使用されるボタン／マイクロスイッチ「７０」及び「７２」を含む。
【００５６】
本発明の一実施形態によると、指の基節骨によって作動されるスイッチング装置／マウスは、頂壁及び対向底壁を有するエンクロージャを含む。スイッチング装置／マウスは、複数の互いに隣接する上部レバー／細長いボタンを含む。上部レバー／細長いボタンは、頂壁によって回動可能に支持される。上部レバー／細長いボタンは、指の基節骨によって下方方向に変位される。マウスは、ユーザの手が楽な姿勢で頂壁上に置かれ、ユーザの指が上部レバー／細長いボタンの隆起面に位置するように把持グリップで保持され、指を曲げずに指の基節骨でバックプレスすることによって操作される。
【００５７】
図８を参照すると、スイッチ７０，７２は、電気接点７４が開放されるように維持されている非作動状態である。図７に示すように、電気接点７４を有するスイッチ７０，７２は、指の基節骨の圧力によって、力「Ｆ」が上部レバー／細長いボタン８０に加えられるとき、閉鎖位置にある。指の圧力「Ｆ」が除去されると、電気接点７４は、バネ７６が非圧縮状態で上方に後退することで開放位置にくるようになり、これにより、上部レバー／細長いボタン８０は、停止位置に戻される。
【００５８】
本発明の一実施形態によると、指作動式のスイッチング装置（マウス）は、複数のスイッチング要素７０及び７２をスイッチングするために、２以上のレバー８０を含む。２以上のスイッチ７０，７２を作動させるための同じ機械的配列を有する複数のレバー８０は、当業者であれば理解できるであろう。
【００５９】
改善された人間工学的なマウス／スイッチング装置の構成により、指を曲げることなく、ユーザの手のひらは楽な姿勢を取ることができる。設計の特徴としては、ユーザの手のひら全体の荷重を容易に低減し、マウス使用による汚れや圧迫を最小限に抑える。スイッチング装置は、隆起した前方部及び低い後方部を有しながら人間工学的に設計され、ユーザは、手のひらがスイッチング装置の頂壁にまっすぐ置かれるように手を位置することができる。従って、改善された人間工学的なマウス／スイッチング装置の構成を用いて、手のひらの空き空間は、隆起した部分で満たされなくなり、手根管を防止する。マウス／スイッチング装置におけるレバーの傾斜は、伸ばした姿勢ではなく、楽な姿勢を取れるように形成される。
【００６０】
特定の実施形態に対する前述した説明は、現在の知識を適用することにより、他の人が一般的な概念から逸脱することなく、このような特定の実施形態を様々な適用に向けて容易に変形及び／または調整することができる、本発明の実施形態の一般的な本質を完全に示すものであり、そのような調整及び変形は、開示された実施形態の同等物の意味と範囲内で理解されるように意図されるべきである。
【００６１】
本明細書において使用された表現または用語は、説明のためのものであり、制限を目的とするものでないことを理解すべきである。従って、本発明の実施形態は、好ましい実施形態の観点から説明されているが、当業者は、本発明の実施形態が添付の特許請求の範囲の思想及び範囲内で変形して実施することもできることを認識するであろう。
【００６２】
本発明の実施形態は、様々な特定の実施形態によって説明されているが、本発明を変形して実施することが、当業者には明らかであろう。しかしながら、これらのあらゆる変形は、特許請求の範囲の範疇内に属するものとみなされる。
【００６３】
以下の特許請求の範囲は、本明細書に記述された実施形態の一般的且つ具体的なあらゆる特徴及び実施形態のすべての範囲の記載を網羅するものであり、言語の問題は、その間に属する場合があることも理解しなければならない。
【図１】
0006882459.tif 000002
【図２】
0006882459.tif 000003
【図３】
0006882459.tif 000004
【図４】
0006882459.tif 000005
【図５】
0006882459.tif 000006
【図６】
0006882459.tif 000007
【図７】
0006882459.tif 000008
【図８】
0006882459.tif 000009